(57)【要約】      （修正有）【課題】挿入足が同体の四角型苗帽子は樹脂ペットフイルム一枚を部分的に切り折り曲げ切断して配布される。【解決手段】耕作者は図面を見て折り曲げすれば足つき苗帽子が組み立てられる。鉄材が不要で休耕地に取り残されて怪我の原因にもなる尖った針金のような心配も無い。原料の合成樹脂ペットは昨今成型技術進歩でより一層の良品が期待され廉価で購入もでき、受給者も作業の負担が少なくて済む。強風地帯ではフランジ部に対策として土が乗せられるように場所を設けてある。製造者達は昨今の真空成型機又は風圧成型機でフイルム加工技術を活用して苗帽子の縦横幅や高さを調節する。鉄線との代替で耕地へ差し込む足はフイルムの厚みや素材を勘案せねばならない。在来のものは足固定対策で困窮してきたが、足同体型を成型することによって高騰不足する問題も解決する。又フランジの一部に土や小石を乗せることで耐風問題も解決する。【選択図】なし【特許請求の範囲】
【請求項１】
苗帽子などの農業資材を真空や風圧成型機で鋳込む際、耐風用の鉄線を使わず同じ樹脂で同時成型した足同体の幼苗保育器。
【請求項２】
フイルムの厚みの変更で大型苗帽子などの農業用品の製造をおこなうこと。
【請求項３】
弱風地帯では土に挿す足を必要な長さに切断して使用できる請求項１に記載の苗帽子。
【発明の詳細な説明】
【技術分野】
【０００１】本発明は農作物の苗を保護するために用いる苗帽子に関するものである。
昨今温暖化が心配されているが不意の寒冷降霜や雹害はありうる。一度遭遇すれば枯死するので幼病には常時警戒が必要である。過去の対策では竹ヒゴ二本を十字に組んで土へ挿し覆った油紙の裾に土を乗せたホットキヤップなるものがあったが真空成型機出現で苗帽子が出来てその簡便さを求めて普及された。ただ足の取り付けのみ煩雑で困っていたがその煩雑さを本発明は解決した。
【背景技術】
【０００２】在来型の苗帽子の弱点とも謂れる足が図１のごとく樹脂ペットフイルムの活用で本体と同時成型されたことによって益々簡便化される。ために利用者が増加するものと目論んでいる。害虫害獣や霜害対策として園芸農家には絶対必要なものであるが幼苗に苗帽子を被せて針金足で固定する作業はかなり面倒であり、農地所有者としても作付けを放棄する人が増えているが本発明品は既に足が付いていて又不足する強風対策として土などを乗せられるようフランジに間隙を作ってあるのでそのまま足を地中へ差し込んで煩雑な手を加えなくても営農を楽しむことができる。
【発明の開示】
【０００３】
【特許文献１】特願２００５−１２６３４６
【特許文献２】実願２００５−０１１１７６
【発明が解決しようとする課題】
【０００４】在来型は強風で飛ばされぬよう加工した鉄線足を地中に差し込んで固定するが休耕地に折れ尖って残留した鉄線は耕作者の怪我の元になる危険がある。しかも昨今、鉄材は不足して高騰し続けていて暫時資材価格の上昇が心配されている。本発明品は鉄材を使わず図２のごとく同じペットフイルム使用で図２のうちｂのごとく裾四カ所に同時成型された足を使うので鉄材価格高騰や不足などの心配が無い。本発明の苗帽子でも耐風不安なときはフランジの一部に補強用の重みとして土や小石を乗せられるよう図２のごとく間隙を儲けてある。又弱風地帯やハウスの中など強風不安が無い所では鋏などで足を自由に切断できる。
【課題を解決するための手段】
【０００５】マルチフイルムで耕作地を覆いその上で本発明品を露地栽培に使用すれば幼い苗は害虫や害獣に犯されず異常天候からも保護できる。又本発明品をハウス内で使用すれば二重覆いとなり大きくなった保温効果で南方の植物でも栽培が可能である。
【発明の効果】
【０００６】猛暑が続き日焼けが心配で天井の通気孔が足りないときは苗帽子横腹の南側に適宜開腹すれば水分補給を兼ねて高温防止措置が出来る。開腹が大き過ぎると害虫侵入の心配がある。しかし虫は入っても苗帽子の反射光が恐怖となり急いで逃げ出そうとするため食害はおこらない。
【発明を実施するための最良の形態】
【０００７】  本発明によれば足を長めに刺して中空に浮かせて温度調節も可とする。但しこの場合、フランジに土や小石などを乗せて置かなければ強風に負けるので要注意である。帽子本体の強度を保持するため丸みを帯びたリブが苗の葉に接触しても日焼け被害はおこらない。
【実施例】
【０００８】サイズとして本発明品は真空成型、風圧成型をどちらも可とするが経験豊かな成型業者と相談の上、ことを運びたい。サイズは高さ２５センチメートル横３０センチメートル四角型を基準としての製造である。なお、図２のうちｂについては折り紙のごとく山折するので強度が増し挿しやすくなる。
【図面の簡単な説明】
【０００９】
【図１】成型前の俯瞰図
【図２】成型後の組み立て図
【符号の説明】
［ａ］切断する太線
［ｂ］山折する点線
［ｃ］谷折する点線
［ｄ］フランジ
［ｅ］土を乗せるフランジ
［ｆ］通気孔
【図１】
2009072169.tif 000002
【図２】
2009072169.tif 000003
【手続補正書】
【提出日】平成20年8月8日(2008.8.8)
【手続補正１】
【補正対象書類名】明細書
【補正の内容】
2009072169.tif 000004
2009072169.tif 000005
2009072169.tif 000006
2009072169.tif 000007
【手続補正書】
【提出日】平成20年10月14日(2008.10.14)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
四角形の一枚の樹脂フイルムから幼苗を保護するための育苗ドームを成型するに際し、四角形の周辺部を少し残し、左右辺端から、育苗ドームを固定化するために地に挿す挿地足を切断線、山折れ線、谷折れ線を入れて成型し、使用時に挿地足を組み立てられるようにした足同体幼苗保育器。
【請求項２】
弱風地帯では地に挿す挿地足の長さを鋏などで切断し、調節可能な請求項１記載の足同体幼苗保育器。
【手続補正４】
【補正対象書類名】手続補正書
【補正対象項目名】手続補正３
【補正方法】追加
【補正の内容】
【手続補正３】
【補正対象書類名】明細書
【補正対象項目名】０００１
【補正方法】変更
【補正の内容】
【０００１】本発明は農作物の苗を保護するために関するものである。


【手続補正５】
【補正対象書類名】手続補正書
【補正対象項目名】手続補正４
【補正方法】追加
【補正の内容】
【手続補正４】
【補正対象書類名】明細書
【補正対象項目名】０００２
【補正方法】変更
【補正の内容】
【０００２】育苗ドームは害虫害獣や霜害対策として園芸農家には絶対必要なものであるが幼苗に育苗ドームを被せて針金足で固定する作業はかなり面倒なものであり、農地所有者としても作付けを放棄する人が増えているが、本発明品は既に足がついていて又不足する強風対策として土などを乗せられるフランジに間隙を作ってあるのでそのまま足を地中へ挿し込んで煩雑な手を加えなくても営農を楽しむことができる。


【手続補正６】
【補正対象書類名】手続補正書
【補正対象項目名】手続補正５
【補正方法】追加
【補正の内容】
【手続補正５】
【補正対象書類名】明細書
【補正対象項目名】０００３
【補正方法】変更
【補正の内容】
【０００３】先行技術は耐風対策が不十分で台風頻発の昨今、足同体幼苗保育器とかなり相違する。足同体保育器は、長めの足と台風対策用のフランジに重しを置くことで二重の対策が出来る。
【特許文献１】特願２００５−１２６３４６
【特許文献２】実願２００５−０１１１７６足同体幼苗保育器はほかより長めの足と耐風対策用の重しとで二重の対策が出来る。


【手続補正７】
【補正対象書類名】手続補正書
【補正対象項目名】手続補正６
【補正方法】追加
【補正の内容】
【手続補正６】
【補正対象書類名】明細書
【補正対象項目名】０００４
【補正方法】変更
【補正の内容】
【０００４】在来型は強風で飛散せぬように加工した鉄線足を地中に挿し込んで固定するが、耕作地に折れて残留した鉄線は耕作者の怪我の基になる危険がある。


【手続補正８】
【補正対象書類名】手続補正書
【補正対象項目名】手続補正７
【補正方法】追加
【補正の内容】
【手続補正７】
【補正対象書類名】明細書
【補正対象項目名】０００５
【補正方法】変更
【補正の内容】
【０００５】本発明品の足同体幼苗保育器は鉄線足を使わず図２のうちｂのごとく裾４ヶ所に成型された足を使うので挿し地足は折れても柔らかく、怪我の心配が無い。台風不安なときはフランジの一部に補強用の重みとして土や小石を乗せられるよう、図２のごとく間隙を設けてある。又弱風地帯やハウスの中など強風不安が無い所では鋏などで足を自由に切断調節できる。使用者は本品を山折れ、谷折れすれば容易に組み立てられる。原料の樹脂製フイルムの成型技術の進歩で、より一層の良品が期待され、廉価で製造できる。また、フランジの一部に土や小石を乗せることでより強固に固定化できる。


【手続補正９】
【補正対象書類名】手続補正書
【補正対象項目名】手続補正８
【補正方法】追加
【補正の内容】
【手続補正８】
【補正対象書類名】明細書
【補正対象項目名】０００６
【補正方法】変更
【補正の内容】
【０００６】四角形の一枚の樹脂製フイルムから幼苗ドームと固定化するための挿地足を同時成型することで鉄線足を使う必要がなくなり、また、挿地足の地中への挿入を調節することにより、通気をよくすることもできる。


【手続補正１０】
【補正対象書類名】手続補正書
【補正対象項目名】手続補正９
【補正方法】追加
【補正の内容】
【手続補正９】
【補正対象書類名】明細書
【補正対象項目名】０００７
【補正方法】変更
【補正の内容】
【０００７】四角形の一枚の樹脂製フイルムから幼苗を保育するための育苗ドームを成型するに際し、四角形の周辺部を少し残し、左右辺端から、育苗ドームを固定化するために地に挿す挿し地足を切断線、山折れ線、谷折れ線を入れて成型し、使用時に挿地足を組み立てて使用できるようにする。本発明によれば挿し地足を地中に差し込む長さを調節することにより温度調節も可能となる。但しこの場合、フランジに土や小石などを乗せて置かなければ強風に負けるので要注意である。また、この調節で育苗ドームの強度を保持するための丸みを帯びたリブが幼苗の葉に接触しても幼苗画日焼けする被害は起こらない。


【手続補正１１】
【補正対象書類名】手続補正書
【補正対象項目名】手続補正１０
【補正方法】追加
【補正の内容】
【手続補正１０】
【補正対象書類名】明細書
【補正対象項目名】０００８
【補正方法】変更
【補正の内容】
【０００８】サイズとして本発明品は四角形の一辺３０ｃｍに高さ２５ｃｍのドームを、最長１５ｃｍの挿地足４本作る。なお、設計図２のうちｂについては折り紙のごとく山折りするので強度が増し挿しやすくなる。


【手続補正１２】
【補正対象書類名】手続補正書
【補正対象項目名】手続補正１１
【補正方法】追加
【補正の内容】
【手続補正１１】
【補正対象書類名】図面
【補正対象項目名】図１
【補正方法】変更
【補正の内容】
【図１】
2009072169.tif 000008
【手続補正１４】
【補正対象書類名】手続補正書
【補正対象項目名】手続補正１３
【補正方法】削除
【補正の内容】
【手続補正１５】
【補正対象書類名】手続補正書
【補正対象項目名】手続補正１４
【補正方法】削除
【補正の内容】